(57)【特許請求の範囲】
【請求項１】
仮設足場又は仮設階段の横架材又は側桁の外面に圧力下に当接して該横架材又は側桁と一体化するとともに、仮設材を支持し、該仮設材を横架材又は側桁に一体的に連結する仮設材連結具において、
前記仮設材を支持するとともに、前記横架材又は側桁の上部に接触して前記仮設材連結具に対する前記横架材又は側桁の上方変位を阻止する支持部材と、
前記支持部材から一体的に下方に延びる第１側壁部の内側面によって形成され、前記横架材又は側桁の第１側面に面接触する側部当接面と、
前記第１当接面と反対の側に位置する前記横架材又は側桁の第２側面に沿って前記支持部材から一体的に下方に延びる第２側壁部に枢動可能に連結されるとともに、前記第２側面の下端角部に点接触状態に当接する下部傾斜当接面を形成する揺動部材と、
該揺動部材の先端部に枢動可能に連結されるとともに、前記第１側壁部の下端部に緊締され、前記下部傾斜当接面を前記横架材又は側桁の下端角部に点接触状態に当接せしめる緊締具とを有することを特徴とする仮設材連結具。
【請求項２】
前記支持部材は、前記横架材又は側桁の上面に面接触可能な上部当接面を有することを特徴とする請求項１に記載の仮設材連結具。
【請求項３】
前記支持部材は、前記横架材又は側桁の第２側面の上端角部に点接触状態に当接する上部傾斜当接面を有することを特徴とする請求項１又は２に記載の仮設材連結具。
【請求項４】
前記揺動部材及び前記緊締具の各枢動軸線は、前記横架材又は側桁の軸線方向と実質的に平行に配向されることを特徴とする請求項１乃至３のいずれか１項に記載の仮設材連結具。
【請求項５】
前記揺動部材は、前記横架材又は側桁の軸線方向に間隔を隔てて配置された複数の板材からなり、前記下部傾斜当接面は、複数の前記板材の上縁面によって形成されることを特徴とする請求項４に記載の仮設材連結具。
【請求項６】
前記緊締具は、前記揺動部材の先端部に基端部を枢着されたボルトと、前記第１側壁部の下端部に対して締結されるナットとから構成され、前記ボルトは、前記第１側壁部の下端に形成された下方開口形凹部を貫通して外方に延び、前記ナットは、前記第１側壁部の外側から前記ボルトに螺着することを特徴とする請求項１乃至５のいずれか１項に記載の仮設材連結具。
【請求項７】
前記支持部材は、手摺支柱を支持する支柱支持具を有することを特徴とする請求項１乃至６のいずれか１項に記載の仮設材連結具。
【請求項８】
前記支持部材は、仮設階段又は仮設通路に巾木を形成する板状部材を支持する巾木支持具を有することを特徴とする請求項１乃至６のいずれか１項に記載の仮設材連結具。
【請求項９】
常設構造物の横架材又は側桁の外面に圧力下に当接して該横架材又は側桁と一体化するとともに、常設構造物の付帯機器、付帯装置又は付帯器具を支持し、該付帯装置又は付帯器具を横架材又は側桁に一体的に連結することを特徴とする請求項１乃至８のいずれか１項に記載の仮設材連結具。
【発明の詳細な説明】
【技術分野】
【０００１】
本発明は、仮設材連結具に関するものであり、より詳細には、上下方向に延びる仮設支柱等の仮設材を仮設横架材又は仮設側桁に解体可能に固定する仮設材連結具に関するものである。
【背景技術】
【０００２】
建築・土木工事の工事現場に仮設される枠組足場、単管足場、高所作業用ローリングタワー等の仮設足場は、一般に多層構造を有することから、作業者等が各層又は各階の作業床を移動するための上下方向の連絡通路として、仮設階段が仮設足場の適所に配設される。この種の仮設階段は、例えば、実開平６−６２０９２号公報に記載される如く、側桁、踏板、手摺等を構成する各種の金属製部材（アルミニウム合金製型材）を組立てた構造を有する。このような仮設階段においては、側桁の各端部が上層及び下層の横架材に係止し、踏板の両端が左右の側桁に支持され、手摺支柱が支柱支持具によって側桁に取付けられる。
【０００３】
従来の仮設階段においては、支柱支持具は、支柱取付け用ブラケットをボルト等の固定具で側桁側面に固定した構造を有することから、手摺支柱の取付け時には、金属部材の孔明け加工等の加工が必要となる。このため、手摺の組付け作業及び解体作業は、比較的多くの時間・工数を要する煩雑な作業であり、しかも、手摺支柱の取付位置は、手摺を一旦側桁に取付けた後は、その変更、調整等を行うことが極めて困難である。
【０００４】
このような仮設階段の手摺支柱の支持構造を改良し、側桁に対する手摺支柱の取付け作業及び解体作業を簡素化することを意図した仮設階段用手摺の取付装置が、特開平１０−２５２２５８号公報に開示されている。
【０００５】
この取付装置は、仮設階段の側桁の上面側部分を把持する上部クランプ部材と、側桁の下面側部分を把持する下部クランプ部材とを有し、上部クランプ部材は手摺支柱の下端部に固定され、下部クランプ部材は上部クランプ部材の下側において手摺支柱の下端部に枢着される。下部クランプ部材は、上部クランプ部材に対して枢動し、上部クランプ部材と協働して方形断面の側桁収容空間を形成する。上下のクランプ部材は、ボルト・ナット等の固定手段によって上下方向に互いに接近するように締付けられ、側桁収容空間内の側桁は、上下のクランプ部材によって強圧される。この結果、側桁、手摺支柱及びクランプ部材は一体化し、手摺支柱は、側桁に固定される。手摺支柱を解体する場合には、上記固定手段を弛緩して上下のクランプ部材を互い開放すれば良い。
【特許文献１】実開平６−６２０９２号公報
【特許文献２】特開平１０−２５２２５８号公報
【発明の開示】
【発明が解決しようとする課題】
【０００６】
このような取付装置によれば、金属部材の孔明け加工等を省略し、側桁に対する手摺支柱の取付け作業又は解体作業を簡素化することが可能となり、しかも、側桁に取付けた手摺支柱の位置を取付け後に変更又は調整することができる。
【０００７】
しかし、上下のクランプ部材は、一定且つ方形断面の側桁収容空間を画一的に形成し、上下の水平面と左右の垂直面を圧力下に側桁外面に当接せしめるように構成されているにすぎない。即ち、この取付装置は、予め設定された所定断面の側桁に対して使用された場合には所望の如く手摺支柱を側桁に固定し得るかもしれないが、異なる断面寸法・形状の側桁に対して使用された場合、クランプ部材の枢動が側桁によって阻止される結果として、上下のクランプ部材が所望の如く閉鎖せず、或いは、固定手段によるクランプ部材の締付け後にクランプ部材と側桁外面との間に隙間又は遊び空間等が発生し、その結果、手摺支柱を堅固に側桁に固定することができないといった状態が生じる。
【０００８】
これに対し、実際の建設工事では、枠組足場、単管足場、高所作業用ローリングタワー等の異種の仮設足場が適宜使用されており、多くの場合、仮設階段の側桁の断面寸法・形状等は、足場の形式に相応して相違する。また、仮設階段の側桁として、アルミニウム合金製型材が一般に使用されているが、仮設階段の各製造会社が使用する型材の断面寸法・形状は必ずしも一定ではない。このため、上下のクランプ部材によって一定且つ方形断面の側桁収容空間を画一的に形成するように構成された従来の取付装置では、断面寸法・形状が相違する各種の仮設階段の側桁に適応することができない。
【０００９】
同様に、水平な仮設作業通路に設置される手摺支柱等を水平な横架材に取付けるための取付装置等においても、断面寸法・形状が相違する横架材に対して手摺支柱等を取付ける際、共通に使用可能な仮設材連結具が存在せず、このような部材の開発が望まれる。
【００１０】
即ち、側桁又は横架材の断面寸法・形状の相違に対する仮設材連結具の非適応性は、仮設階段のみならず、側桁又は横架材に仮設材を一体的に連結するための仮設材連結具全般に関し、共通に認識される課題でもある。
【００１１】
本発明は、このような課題に鑑みてなされたものであり、その目的とするところは、断面寸法・形状が相違する側桁又は横架材の外面に圧力下に当接して該側桁又は横架材に堅固に固着し、異なる断面寸法・形状の側桁又は横架材に手摺支柱等の仮設部材を取付けることができる仮設材連結具を提供することにある。
【課題を解決するための手段】
【００１２】
上記目的を達成すべく、本発明は、仮設足場又は仮設階段の横架材又は側桁(3)の外面に圧力下に当接して該横架材又は側桁と一体化するとともに、仮設材(2,7)を支持し、該仮設材を横架材又は側桁に一体的に連結する仮設材連結具(1,1')において、
前記仮設材を支持するとともに、前記横架材又は側桁の上部に接触して前記仮設材連結具に対する前記横架材又は側桁の上方変位を阻止する支持部材(11,18)と、
前記支持部材から一体的に下方に延びる第１側壁部(12)の内側面によって形成され、前記横架材又は側桁の第１側面(3b)に面接触する側部当接面(32)と、
前記第１当接面と反対の側に位置する前記横架材又は側桁の第２側面(3c)に沿って前記支持部材から一体的に下方に延びる第２側壁部(13,17)に枢動可能に連結されるとともに、前記第２側面の下端角部(3f)に点接触状態に当接する下部傾斜当接面(34)を形成する揺動部材(14)と、
該揺動部材の先端部に枢動可能に連結されるとともに、前記第１側壁部の下端部に緊締され、前記下部傾斜当接面を前記横架材又は側桁の下端角部に点接触状態に当接せしめる緊締具(15)とを有することを特徴とする仮設材連結具を提供する。
【００１３】
一般には、仮設足場又は仮設階段の横架材又は側桁として、角形、チャンネル形、コの字形等の断面を有する金属型材が使用されており、これらの部材は、全体的に概ね方形断面を有するが、本発明の上記構成によれば、横架材又は側桁の下端角部は、連結具の下部傾斜当接面に当接する。緊締具の緊締力は、下部傾斜当接面と下端角部との接点を介して横架材又は側桁に作用する。横架材又は側桁は、その上方移動を支持部材によって規制され、その片側方向への移動を側部当接面によって規制されているので、緊締具の緊締力は、点接触状態の接点を介して上方及び片側方向に適当に分散する。即ち、横架材又は側桁は、緊締力によって支持部材と側部当接面とに押圧され、仮設連結具に固定される。
【００１４】
好ましくは、上記支持部材は、横架材又は側桁の上面に面接触する上部当接面と、横架材又は側桁の第２側面の上端角部に点接触状態に当接する上部傾斜当接面とを有する。横架材又は側桁は、緊締具によって上方に押圧されると、その断面寸法・形状に相応して、その上面を支持部材の上部当接面に面接触させるか、或いは、その上端角部を支持部材の上部傾斜当接面に点接触状態に当接させる。
【００１５】
横架材又は側桁の上面が支持部材の上部当接面に面接触した状態では、横架材又は側桁は、二面と一点で圧力下に仮設材連結具と接触する。二面は、上方及び片側方向の相対変位を阻止する。即ち、点接触形態の当接部に作用する斜め上方（上方且つ片側方向）の力の作用を受けた横架材又は側桁は、仮設材連結具に対して二面及び一点でその相対位置を固定される。
【００１６】
他方、横架材又は側桁の上端角部が上部傾斜当接面に点接触形態に当接した状態では、横架材又は側桁は、一面及び二点で圧力下に仮設材連結具と接触する。一面は、片側方向の相対変位を阻止し、一点は、上方の相対変位を阻止する。即ち、点接触形態の当接部に作用する斜め上方（上方且つ片側方向）の力の作用を受けた横架材又は側桁は、仮設材連結具に対して一面及び二点でその相対位置を固定される。
【００１７】
このように二面一点又は一面二点で横架材又は側桁と仮設連結具とを相対的に固定するように構成された本発明の仮設連結具は、上下のクランプ部材で横架材又は側桁に面接触するにすぎない従来の連結具（特許文献２）の接触形態とは全く異なる接触形態を有する。
【発明の効果】
【００１８】
本発明の仮設材連結具によれば、断面寸法・形状が相違する側桁又は横架材の外面に圧力下に当接して該側桁又は横架材に堅固に固着し、異なる断面寸法・形状の側桁又は横架材に手摺支柱等の仮設部材を取付けることができる。
【発明を実施するための最良の形態】
【００１９】
本発明の好適な実施形態によれば、支持部材は、横架材又は側桁の上面に面接触可能な上部当接面(31)と、横架材又は側桁の第２側面の上端角部に当接可能な上部傾斜当接面(33)とを有する。
【００２０】
好ましくは、揺動部材及び緊締具の各枢動軸線は、横架材又は側桁の軸線方向と実質的に平行に配向される。
【００２１】
更に好ましくは、揺動部材は、横架材又は側桁の軸線方向に間隔を隔てて配置された複数の板材からなり、下部傾斜当接面は、複数の板材の上縁面によって形成される。
【００２２】
本発明の更に好適な実施形態によれば、緊締具は、揺動部材の先端部に基端部を枢着されたボルト(22)と、第１側壁部の下端部に対して締結されたナット(23)とから構成され、ボルトは、第１側壁部の下端に形成された下方開口形凹部(25,26)を貫通して外方に延び、ナットは、第１側壁部の外側(24)からボルトに螺着する。
【００２３】
本発明の好ましい実施形態において、支持部材は、手摺支柱(2)を支持する支柱支持具(4、5)を有し、或いは、仮設階段又は仮設通路に巾木を形成する板状部材(7)を支持する巾木支持具(8)を有する。
【００２４】
所望により、常設構造物の横架材又は側桁の外面に圧力下に当接して該横架材又は側桁と一体化するとともに、常設構造物の付帯機器、付帯装置又は付帯器具を支持し、付帯装置又は付帯器具を横架材又は側桁に一体的に連結する連結具として、本発明の連結具を使用しても良い。
【実施例１】
【００２５】
以下、添付図面を参照して、本発明の好適な実施例について詳細に説明する。
【００２６】
図１（Ａ）〜（Ｅ）は、本発明の実施例に係る仮設材連結具の構成を示す正面図、右側面図、左側面図、平面図及び底面図であり、図２は、仮設材連結具の使用状態を示す正面図である。
【００２７】
仮設材連結具１は、建築工事又は土木工事等の仮設足場において、手摺支柱２を仮設階段の側桁３（図２に仮想線で示す）に取付けるのに使用される。仮設材連結具１は、頂板部１１、第１側板部分１２、第２側板部分１３、揺動部材１４及び緊締具１５を備える。手摺支柱２の下端部を挿入可能な支持管４が、頂板部１１の水平上面から垂直上方に一体的に延出する。上下一対のボルト・ナット組立体５が、支持管４及び手摺支柱２を貫通し、支持管４内に挿入された手摺支柱２の下端部を支持管４に固定する。
【００２８】
第１側板部分１２は、頂板部１１から垂下する。第２側板部分１３は、上端傾斜部１８を介して頂板部１１に連接する。頂板部１１及び上端傾斜部１８は、手摺支柱２を支持するとともに、側桁３の上部に接触して連結具１に対する側桁３の上方変位を阻止する支持部材を構成する。上端傾斜部１８は、頂板部１１に対して所定角度（好ましくは３０〜６０度、本例では４５度）をなして傾斜し、第２側板部分１３は、上端傾斜部１８から垂下する。補強リブ部材１７が、第２側板部分１３と直交する方向に第２側板部分１３の外側面から一体的に突出する。補強リブ部材１７の上端部は、支持管４を補強する補強リブ部材１６に一体的に連接する。補強リブ部材１６は、支持管４の両側に配設され、支持管４と一体化する。
【００２９】
補強リブ部材１７は、第２側板部分１３の下方に僅かに延出する。第２側板部分１３及び補強リブ部材１７は、第２側壁部を構成する。補強リブ部材１７の下端部には、揺動部材１４の一端がボルト・ナット組立体２０によって枢動可能に連結される。図１（Ｃ）及び図１（Ｅ）に示すように、揺動部材１４は、補強リブ部材１７の両側に対をなして配設される。揺動部材１４の他端部には、緊締具１５の基端部がボルト・ナット組立体２１によって枢動可能に連結される。ボルト・ナット組立体２０、２１の軸線は、側桁３の軸線と実質的に平行な方向に配向される。
【００３０】
緊締具１５は、外螺子を有する螺子部２２と、螺子部２２に螺着するナット２３とから構成される。第１側板部分１２は、ナット２３が係合可能な支持壁部分２４を有する。図１（Ｅ）に示す如く、支持壁部分２４は、第１側板部分１２から外方に一体的に膨出するように形成された壁体からなる。螺子部２２は、第１側板部分１２及び支持壁部分２４の下端に形成された底部開口形の凹所２５、２６を貫通する。ナット２３は、螺子部２２に対する締付けトルクによって支持壁部分２４の下端部外側面に係合する。支持壁部分２４は、第１側板部分１２に付随して平行且つ垂直上方に延び、頂板１１の外端部に一体的に連接し、頂板１１によって支持される。第１側板部分１２及び支持壁部分２４は、第１側壁部を構成する。支持壁部分２４は、凹所２６の下端部において局所的に隆起し、外側に僅かに突出する折返し部又は突起２９を形成する。折返し部又は突起２９は、ナット２３が外側壁面から脱落するのを防止し、ナット２３の位置を安定させる。
【００３１】
図２には、側桁３に対して連結具１を固定する過程が示されている。
【００３２】
図２（Ａ）には、ナット２３を弛緩して螺子部２２を支持壁部分２４から解放し、螺子部２２及び揺動部材１４を下方に枢動させて連結具１の側桁収容空間６を下方に開口させた状態が示されている。連結具１は、空間６内に側桁３を受入れるように側桁３に跨がる。側桁３の上端角部３ｅが連結具１の内側傾斜面３３に点接触状態に当接し、或いは、側桁３の頂面３ａが、連結具１の上部当接面３１に面接触する。
【００３３】
図２（Ｂ）に矢印で示す如く、螺子部２２及び揺動部材１４を上方に枢動させて支持壁部分２４に係合させ、ナット２３を締結すると、図２（Ｃ）に示す如く、連結具１を閉塞して連結具１を側桁３上に固定することができる。側桁３の下端角部３ｆが連結具１の内側傾斜面３４に点接触状態に当接するとともに、側桁３の側面３ｂが、連結具１の側部当接面３２に面接触する。内側傾斜面３４は、頂板部１１の平面に対して所定角度（好ましくは３０〜６０度、本例では、概ね４５度）をなして傾斜する。
【００３４】
かくして、頂板部１１の水平な下面は、側桁３の頂面３ａに面接触可能な上部当接面３１を構成し、第１側板部分１２の垂直な側壁面は、側桁３の側面３ｂに面接触可能な側部当接面３２を構成する。上端傾斜部１８の内側傾斜面３３は、側桁３の側面３ｃ側の上端角部３ｅ（頂面３ａと側面３ｃとの角部）に当接可能な上部傾斜当接面を構成し、揺動部材１４の内側傾斜面３４は、側桁３の側面３ｃの下端角部３ｆ（底面３ｄと側面３ｃとの角部）に当接可能な下部傾斜当接面を構成する。なお、第２側板部分１３の内側面３５は、側桁３に接触せず、側桁３の側面３ｃから離間する。
【００３５】
図３は、異なる断面寸法・形状の側桁３に連結具１を装着した状態を例示する連結具１の正面図である。
【００３６】
図３（Ａ）には、幅寸法Ｄが比較的大きい角形金属管１０１からなる側桁３が示されている。角形金属管１０１の幅寸法Ｄは、空間６の最大幅Ｗ１（側部当接面３２と内側面３５との間の距離）よりも小さく、上部当接面３１の幅Ｗ２よりも大きい。角形金属管１０１の高さＬは、空間６の最大高さＨ１よりも小さく、内側傾斜面３３、３４の間の最小の高さ方向間隔Ｈ２よりも大きい。角形金属管１０１の角部１０１ｅ、１０１ｆは内側傾斜面３３、３４に点接触状態に当接し、角形金属管１０１の側面１０１ｂは側部当接面３２に面接触する。
【００３７】
図３（Ｂ）には、幅寸法Ｄが比較的小さいチャンネル形金属材１０２からなる側桁３が示されている。金属材１０２の幅寸法Ｄは、頂面３ａの幅Ｗ２と実質的に同じ寸法に設定される。金属材１０２の高さＬは、空間６の最大高さＨ１よりも小さく、内側傾斜面３３、３４の間の最小の高さ方向間隔Ｈ２よりも大きい。金属材１０２の下端角部１０２ｆは内側傾斜面３４に点接触状態に当接する。金属材１０２の側面１０２ｂは側部当接面３２に面接触する。金属材１０２の頂面１０２ａは上部当接面３１に面接触する。
【００３８】
図３（Ｃ）には、幅寸法Ｄが比較的小さい角形金属管１０３からなる側桁３が示されている。金属管１０３の幅寸法Ｄは、頂面３ａの幅Ｗ２と同一又は幅Ｗ２よりも小さい。金属材１０２の高さＬは、空間６の最大高さＨ１よりも小さく、内側傾斜面３３、３４の間の最小の高さ方向間隔Ｈ２よりも大きい。金属管１０３の１０３ｆは内側傾斜面３４に点接触状態に当接する。金属管１０３の側面１０３ｂは側部当接面３２に面接触する。金属管１０３の頂面１０３ａは上部当接面３１に面接触する。
【００３９】
図３（Ｄ）には、幅寸法Ｄが比較的大きいチャンネル形金属材１０４からなる側桁３が示されている。金属材１０４の幅寸法Ｄは、空間６の最大幅Ｗ１よりも小さく、頂面３ａの幅Ｗ２よりも大きい。金属材１０４の高さＬは、空間６の最大高さＨ１よりも小さく、内側傾斜面３３、３４の間の最小の高さ方向間隔Ｈ２よりも大きい。金属材１０４の角部１０４ｅ、１０４ｆは内側傾斜面３３、３４に点接触状態に当接し、金属材１０４の側面１０４ｂは側部当接面３２に面接触する。なお、金属材１０４の側面１０４ｂは、点接触状態に接触する複数の局所的拡大部１０４ｇによって形成される仮想の平面である。本明細書においては、このように複数点又は多点で接触した状態であって、全体的に面接触として考慮し得る状態のものについても、「面接触」に含めるものとする。
【００４０】
図４（Ａ）〜（Ｅ）は、上記連結具１の変形例に係る仮設連結具１’の構成を示す正面図、右側面図、左側面図、平面図及び底面図である。図４において、前述の仮設連結具１の各構成要素又は構成部材と実質的に同じ構成要素又は構成部材については、同一の参照符号が付されている。
【００４１】
仮設連結具１’は、仮想線で示す階段用巾木７を仮設階段に取付けるためのものであり、支持管４に換えて巾木支持具８を備える。巾木支持具８は、頂板部１１に立設された支柱８１と、金属製帯板の曲げ加工品からなる枠体８２とから構成され、枠体８２の上端部及び下端部は、支柱８１に固定される。支柱８１と枠体８２との間には、巾木７を挿通可能な中空部８３が形成される。巾木７は、仮設足場用の足場板からなり、中空部８３に挿通され、巾木固定用のボルト・ナット組立体８４によって支柱８１に固定される。
【００４２】
連結具１’は、その他の構造、殊に、頂板部１１、第１側板部分１２、第２側板部分１３、揺動部材１４及び緊締具１５等の構造において、前述の連結具１と全く同じ構成のものであるので、説明の重複を回避すべく、更なる詳細な説明を省略する。
【００４３】
図５は、図１〜図３に示す連結具１を取付けた階段直付け手摺５０を示す正面図、底面図及び側面図である。
【００４４】
手摺５０は、手摺支柱部分５２を一体化した山形形態の手摺部材５１と、手摺部材５１に連結された水平手摺部材５３とから構成される。手摺支柱部分５２は、図１〜図３に示す手摺支柱２として支持管４に挿入され、ボルト・ナット組立体５によって支持管４に固定される。
【００４５】
図６及び図７は、仮設階段４０を設置した枠組足場６０を例示する正面図である。
【００４６】
図６に示す如く、仮設階段４０は、上下階の横架材６１の間に斜めに掛け渡された側桁４１と、左右の側桁４１に支持された多数の踏板４２と、連結具１、１’によって側桁４１に取付けられた階段直付け手摺５０及び巾木７０とから構成される。
【００４７】
仮設階段４０は、図７に示すように枠組足場６０と周辺地盤面等との間に斜めに掛け渡しても良く、また、階段直付け手摺５０は、図７に示すように手摺桟６２によって枠組足場６０の建て枠６３等に連結しても良い。
【００４８】
図８は、仮設階段４０を設置したローリングタワー９０を示す正面図である。
【００４９】
枠組足場６０と同様、階段直付け手摺５０及び巾木７０を連結具１、１’によって仮設階段４０の側桁４１に取付けられることができる。
【００５０】
図９は、本発明に係る仮設材連結具１、１’の原理を概念的に示す概略断面図である。
【００５１】
連結具１、１’は、幅が大きく且つ高さが小さい側桁３に装着される場合、図９（Ａ）に示す如く、側部当接面３２に対する側桁３の側面３ｂの面接触と、傾斜面３３、３４に対する角部３ｅ、３ｆの点接触状態の当接（線接触、単一且つ局所的な面接触を含む）とによって連結具１に支持される。連結具１、１’は、比較的幅が小さく且つ高さが大きい側桁３に装着される場合、図９（Ｂ）に示す如く、当接面３２、３１に対する側面３ｂ及び頂面３ａの面接触と、傾斜面３４に対する角部３ｆの点接触状態の当接とによって連結具１に支持される。角部３ｆに作用する緊締具１５の締付け力Ｆは、側桁３の対角線方向に作用する。鉛直方向の反力Ｒｖが、傾斜面３３又は当接面３１に対する角部３ｅ又は頂面３ａの接触部分に作用する。水平方向の反力Ｒｈが、側部当接面３２と側桁３の側面３ｂとの接触部に作用する。連結具１、１’は、緊締具１５の締付け力Ｆと、各接触部の反力Ｒｖ、Ｒｈとの力の釣り合いにより、力学的に安定する。
【００５２】
以上、本発明の好適な実施例について詳細に説明したが、本発明は上記実施例に限定されるものではなく、特許請求の範囲に記載された本発明の範囲内で種々の変形又は変更が可能である。
【００５３】
例えば、上記実施例は、仮設手摺又は仮設巾木を仮設階段の側桁に取付ける仮設材連結具に関するものであるが、本発明は、仮設足場の水平な横架材に対して仮設手摺、仮設巾木等の仮設部材又は仮設器具を取付けるための連結具に適用し得るものである。
【００５４】
また、本発明の連結具の構造は、仮設材のみならず、常設構造物の設備等を比較的長期間に亘って実質的に恒常的に取付け又は支持する連結具に適用し得るものである。
【００５５】
更には、連結具１の上部当接面３１及び側部当接面３２は、必ずしも平滑な面である必要はなく、凹凸又はセレーション等を有するものであっても良い。
【００５６】
また、上記実施例においては、手摺取付用の仮設連結具と、巾木取付け用の仮設連結具とは、横架材又は側桁に係合する部分の構造に関して同一の構成を有するものとして説明したが、これらの仮設連結具は、必ずしも同一の係合構造を有するものである必要はなく、その用途・機能等に相応して適宜設計変更し又は最適化した各部構造のものであれば良い。
【産業上の利用可能性】
【００５７】
本発明の仮設材連結具は、建築工事・土木工事の仮設足場等に配設され、仮設手摺、仮設巾木等の仮設部材又は仮設器具を仮設階段又は仮設足場の側桁、横架材等に着脱可能に取付ける仮設材連結又は支持手段として好ましく使用し得る。本発明の仮設材連結具の構造は、異なる断面寸法・形状の側桁又は横架材に適応するので、連結具の汎用性又は適応性を向上する上で実用的に極めて有利である。
【図面の簡単な説明】
【００５８】
【図１】仮設手摺の手摺支柱を仮設階段の側桁に取付けるための仮設材連結具の構成を示す正面図、右側面図、左側面図、平面図及び底面図である。
【図２】仮設材連結具の使用状態を示す正面図である。
【図３】異なる断面寸法・形状の側桁に仮設材連結具を装着した状態を例示する正面図である。
【図４】仮設巾木を仮設階段の側桁に取付けるための仮設材連結具の構成を示す正面図、右側面図、左側面図、平面図及び底面図である。
【図５】図１〜図３に示す仮設材連結具を有する階段直付け手摺の構成を示す正面図、底面図及び側面図である。
【図６】仮設階段を設置した枠組足場の正面図であり、仮設手摺及び仮設巾木を仮設階段の側桁に取付けた状態が示されている。
【図７】仮設階段を設置した枠組足場の正面図であり、枠組足場と周囲地盤面との間に斜めに掛け渡した仮設階段の側桁に仮設手摺を取付けた状態が示されている。
【図８】仮設階段を設置したローリングタワーの正面図であり、仮設手摺及び仮設巾木を仮設階段の側桁に取付けた状態が示されている。
【図９】仮設材連結具の原理を概念的に示す概略断面図である。
【符号の説明】
【００５９】
１、１’  仮設材連結具
２  手摺支柱（仮設材）
３  側桁
４  支持管
７  階段用巾木（仮設材）
８  巾木支持具
１１  頂板部
１２  第１側板部分
１３  第２側板部分
１４  揺動部材
１５  緊締具
１６、１７  補強リブ部材
１８  上端傾斜部
２０、２１  ボルト・ナット組立体
２４  支持壁部分
３１  上部当接面
３２  側部当接面
３３、３４  内側傾斜面
３ａ  頂面
３ｂ  側面
３ｃ  側面
３ｄ  底面
３ｅ  上端角部
３ｆ  下端角部
【図１】
0005118789.tif 000002
【図２】
0005118789.tif 000003
【図３】
0005118789.tif 000004
【図４】
0005118789.tif 000005
【図５】
0005118789.tif 000006
【図６】
0005118789.tif 000007
【図７】
0005118789.tif 000008
【図８】
0005118789.tif 000009
【図９】
0005118789.tif 000010